(57)【要約】【課題】遊技店の景品交換にかかる操作を効率化することを課題とする。【解決手段】景品管理装置は、レート選択画面（ａ）から、景品交換に使用するレートを選択されると、選択されたレートの一括表示画面（ｂ）を表示制御する。一括表示画面（ｂ）を表示した状態で、景品を選択する操作を受け付けると、景品管理装置は、持玉口座及び貯玉口座の残高合計を対象として景品交換を行なう。一方、一括表示画面（ｂ）を表示した状態で、持玉の詳細表示を選択する操作を受け付けたならば、景品管理装置は、個別表示画面（ｃ）を表示制御する。個別表示画面（ｃ）を表示した状態で、景品を選択する操作を受け付けると、景品管理装置は、持玉口座の残高を対象として景品交換を行なう。【選択図】図１
2014023581.tif 000002
【特許請求の範囲】
【請求項１】
遊技媒体と景品との交換を管理する景品管理装置であって、
遊技媒体数を管理する口座が複数存在する場合に、複数の口座の残高を同時に表示する一括表示と、各口座の残高を個別に表示する個別表示とを切り替え可能な表示制御手段と、
景品の指定操作若しくは景品の組み合わせの自動決定操作を受け付ける操作受付手段と、
前記表示制御手段が前記一括表示を行なっている状態で前記操作受付手段が操作を受け付けた場合には、前記複数の口座の残高を合算した合算残高の範囲内で景品を選択し、前記表示制御手段が個別表示を行なっている状態で前記操作受付手段が操作を受け付けた場合には、前記表示中の口座の残高の範囲内で景品を選択する景品選択手段と
を備えたことを特徴とする景品管理装置。
【請求項２】
前記表示制御手段は、遊技客が獲得した遊技媒体を所定の期間内に限り再使用可能に管理する持遊技媒体口座と、前記所定の期間を超えて再使用可能に管理する貯遊技媒体口座とが存在する場合に、前記持遊技媒体口座及び前記貯遊技媒体口座の一括表示と、前記持遊技媒体口座又は前記貯遊技媒体口座の個別表示とを切り替え、
前記景品選択手段は、前記持遊技媒体口座及び前記貯遊技媒体口座の一括表示を行なっている状態で前記操作受付手段が操作を受け付けた場合には、前記持遊技媒体口座及び前記貯遊技媒体口座の残高を合算した合算残高の範囲内で景品を選択し、前記持遊技媒体口座の個別表示を行なっている状態で前記操作受付手段が操作を受け付けた場合には、前記持遊技媒体口座の残高の範囲内で景品を選択し、前記貯遊技媒体口座の個別表示を行なっている状態で前記操作受付手段が操作を受け付けた場合には、前記貯遊技媒体口座の残高の範囲内で景品を選択する
ことを特徴とする請求項１に記載の景品管理装置。
【請求項３】
前記表示制御手段は、前記一括表示を優先して実行し、前記一括表示を行なっている状態で、前記複数の口座のいずれかを選択する操作を受け付けた場合に、選択された口座の個別表示を行なうことを特徴とする請求項１又は２に記載の景品管理装置。
【請求項４】
前記表示制御手段は、複数の遊技種について各々前記複数の口座が存在する場合であって、前記複数の遊技種のうち所定条件を満たす遊技種が２以上存在する場合には遊技種選択画面を表示制御し、前記所定条件を満たす遊技種が１つである場合には前記遊技種選択画面を省略して前記一括表示を行なうことを特徴とする請求項１、２又は３に記載の景品管理装置。
【請求項５】
前記表示制御手段は、複数口座の残高合計がゼロより大きい遊技種が２以上存在する場合には遊技種選択画面を表示制御し、複数口座の残高合計がゼロより大きい遊技種が１つである場合には前記遊技種選択画面を省略して前記一括表示を行なうことを特徴とする請求項４に記載の景品管理装置。
【請求項６】
前記表示制御手段は、複数口座の残高合計が景品交換可能な遊技媒体の最小値より大きい遊技種が２以上存在する場合には遊技種選択画面を表示制御し、複数口座の残高合計が景品交換可能な遊技媒体の最小値より大きい遊技種が１つである場合には前記遊技種選択画面を省略して前記一括表示を行なうことを特徴とする請求項４に記載の景品管理装置。
【請求項７】
遊技媒体と景品との交換を管理する景品管理システムであって、
遊技媒体数を管理する口座が複数存在する場合に、複数の口座の残高を同時に表示する一括表示と、各口座の残高を個別に表示する個別表示とを切り替え可能な表示制御手段と、
景品の指定操作若しくは景品の組み合わせの自動決定操作を受け付ける操作受付手段と、
前記表示制御手段が前記一括表示を行なっている状態で前記操作受付手段が操作を受け付けた場合には、前記複数の口座の残高を合算した合算残高の範囲内で景品を選択し、前記表示制御手段が個別表示を行なっている状態で前記操作受付手段が操作を受け付けた場合には、前記表示中の口座の残高の範囲内で景品を選択する景品選択手段と
を備えたことを特徴とする景品管理システム。
【請求項８】
遊技媒体と景品との交換を管理する景品管理方法であって、
遊技媒体数を管理する口座が複数存在する場合に、複数の口座の残高を同時に表示する一括表示と、各口座の残高を個別に表示する個別表示とを切り替えて表示する表示制御ステップと、
景品の指定操作若しくは景品の組み合わせの自動決定操作を受け付ける操作受付ステップと、
前記表示制御ステップが前記一括表示を行なっている状態で前記操作受付ステップが操作を受け付けた場合には、前記複数の口座の残高を合算した合算残高の範囲内で景品を選択し、前記表示制御ステップが個別表示を行なっている状態で前記操作受付ステップが操作を受け付けた場合には、前記表示中の口座の残高の範囲内で景品を選択する景品選択ステップと
を含んだことを特徴とする景品管理方法。
【発明の詳細な説明】
【技術分野】
【０００１】
この発明は、遊技媒体と景品との交換を管理する景品管理装置、景品管理システム及び景品管理方法に関する。
【背景技術】
【０００２】
従来、パチンコ店等の遊技店には、遊技客が獲得した遊技媒体を景品に交換する景品カウンタが設けられている。この景品カウンタには、いわゆるＰＯＳ（Point Of Sales）と呼ばれる景品管理装置が配設されており、店員はこの景品管理装置を用いて遊技媒体を景品に交換する（例えば、特許文献１参照）。
【０００３】
遊技客が獲得した遊技媒体数は、持玉や貯玉として遊技店に預けることができる。持玉や貯玉は、カードＩＤに対応付けた持玉口座及び貯玉口座として管理され、景品管理装置は、遊技客が提示したカードのカードＩＤに関連付けられた持玉口座及び貯玉口座の残高を景品交換に使用する。
【０００４】
ここで、持玉とは、遊技客が遊技において獲得した遊技媒体または当該遊技媒体数を示すデータであって、その当日中（閉店より前の時間）のみ遊技に再度供することができるものを言う。貯玉とは、遊技客が遊技において獲得した遊技媒体また当該遊技媒体数を示すデータであって、翌日以降（閉店より後の時間）も遊技に再度供することができるものを言う。持玉は、一般遊技客および会員遊技客の双方が使用可能であり、遊技機を移動した場合などに使用する。貯玉は通常、会員遊技客のみが使用可能であり、獲得した遊技媒体を翌日以降の遊技に用いる場合に使用する。貯玉の使用には所定の手数料を課すこととしてもよい。
【先行技術文献】
【特許文献】
【０００５】
【特許文献１】特開２００９−３８５号公報
【発明の概要】
【発明が解決しようとする課題】
【０００６】
しかしながら、遊技客によって景品交換時に使用する口座のニーズが様々であるため、景品交換時の操作が煩雑になるという問題点があった。この点を具体的に説明すると、多くの遊技客は持玉口座と貯玉口座の残高を合算して景品交換を行なうのであるが、貯玉口座の残高を優先的に使用して景品交換し、残った持玉分については再度遊技に使用する遊技客や、景品交換後の端数分を貯玉する、或いは当日の投資分以外を貯玉するという目的で、貯玉口座はなるべく景品交換に使用せず、持玉口座を優先的に景品交換に使用する遊技客も居る。
【０００７】
かかる多様な遊技客のニーズに応えるため、合算での交換、持玉からの交換、貯玉からの交換のうちいずれかを選択するための操作を設けることとすると、操作の増加により一人当りの処理時間が長くなり、遊技客を待たせるケースが発生するのである。
【０００８】
さらに、近年、遊技店が使用するレートの数が増加している。例えば、４円パチンコ、１円パチンコ、２０円スロット及び５円スロットの４つのレートを使用する遊技店では、各レートについてそれぞれ持玉口座と貯玉口座を設けるため、合計８つの口座で遊技媒体を管理している。このように遊技店が管理する口座数が増加すると、景品交換に使用する口座の選択をいかにして効率化するかが、さらに重要な課題となる。
【０００９】
本発明は、上記従来技術の課題を解決するためになされたものであって、景品交換にかかる操作を効率化することを目的とする。
【課題を解決するための手段】
【００１０】
上述した課題を解決し、目的を達成するため、本発明は、遊技媒体と景品との交換を管理する景品管理装置であって、遊技媒体数を管理する口座が複数存在する場合に、複数の口座の残高を同時に表示する一括表示と、各口座の残高を個別に表示する個別表示とを切り替え可能な表示制御手段と、景品の指定操作若しくは景品の組み合わせの自動決定操作を受け付ける操作受付手段と、前記表示制御手段が前記一括表示を行なっている状態で前記操作受付手段が操作を受け付けた場合には、前記複数の口座の残高を合算した合算残高の範囲内で景品を選択し、前記表示制御手段が個別表示を行なっている状態で前記操作受付手段が操作を受け付けた場合には、前記表示中の口座の残高の範囲内で景品を選択する景品選択手段とを備えたことを特徴とする。
【００１１】
また、本発明は、上記発明において、前記表示制御手段は、遊技客が獲得した遊技媒体を所定の期間内に限り再使用可能に管理する持遊技媒体口座と、前記所定の期間を超えて再使用可能に管理する貯遊技媒体口座とが存在する場合に、前記持遊技媒体口座及び前記貯遊技媒体口座の一括表示と、前記持遊技媒体口座又は前記貯遊技媒体口座の個別表示とを切り替え、前記景品選択手段は、前記持遊技媒体口座及び前記貯遊技媒体口座の一括表示を行なっている状態で前記操作受付手段が操作を受け付けた場合には、前記持遊技媒体口座及び前記貯遊技媒体口座の残高を合算した合算残高の範囲内で景品を選択し、前記持遊技媒体口座の個別表示を行なっている状態で前記操作受付手段が操作を受け付けた場合には、前記持遊技媒体口座の残高の範囲内で景品を選択し、前記貯遊技媒体口座の個別表示を行なっている状態で前記操作受付手段が操作を受け付けた場合には、前記貯遊技媒体口座の残高の範囲内で景品を選択することを特徴とする。
【００１２】
また、本発明は、上記発明において、前記表示制御手段は、前記一括表示を優先して実行し、前記一括表示を行なっている状態で、前記複数の口座のいずれかを選択する操作を受け付けた場合に、選択された口座の個別表示を行なうことを特徴とする。
【００１３】
また、本発明は、上記発明において、前記表示制御手段は、複数の遊技種について各々前記複数の口座が存在する場合であって、前記複数の遊技種のうち所定条件を満たす遊技種が２以上存在する場合には遊技種選択画面を表示制御し、前記所定条件を満たす遊技種が１つである場合には前記遊技種選択画面を省略して前記一括表示を行なうことを特徴とする。
【００１４】
また、本発明は、上記発明において、前記表示制御手段は、複数口座の残高合計がゼロより大きい遊技種が２以上存在する場合には遊技種選択画面を表示制御し、複数口座の残高合計がゼロより大きい遊技種が１つである場合には前記遊技種選択画面を省略して前記一括表示を行なうことを特徴とする。
【００１５】
また、本発明は、上記発明において、前記表示制御手段は、複数口座の残高合計が景品交換可能な遊技媒体の最小値より大きい遊技種が２以上存在する場合には遊技種選択画面を表示制御し、複数口座の残高合計が景品交換可能な遊技媒体の最小値より大きい遊技種が１つである場合には前記遊技種選択画面を省略して前記一括表示を行なうことを特徴とする。
【００１６】
また、本発明は、遊技媒体と景品との交換を管理する景品管理システムであって、遊技媒体数を管理する口座が複数存在する場合に、複数の口座の残高を同時に表示する一括表示と、各口座の残高を個別に表示する個別表示とを切り替え可能な表示制御手段と、景品の指定操作若しくは景品の組み合わせの自動決定操作を受け付ける操作受付手段と、前記表示制御手段が前記一括表示を行なっている状態で前記操作受付手段が操作を受け付けた場合には、前記複数の口座の残高を合算した合算残高の範囲内で景品を選択し、前記表示制御手段が個別表示を行なっている状態で前記操作受付手段が操作を受け付けた場合には、前記表示中の口座の残高の範囲内で景品を選択する景品選択手段とを備えたことを特徴とする。
【００１７】
また、本発明は、遊技媒体と景品との交換を管理する景品管理方法であって、遊技媒体数を管理する口座が複数存在する場合に、複数の口座の残高を同時に表示する一括表示と、各口座の残高を個別に表示する個別表示とを切り替えて表示する表示制御ステップと、景品の指定操作若しくは景品の組み合わせの自動決定操作を受け付ける操作受付ステップと、前記表示制御ステップが前記一括表示を行なっている状態で前記操作受付ステップが操作を受け付けた場合には、前記複数の口座の残高を合算した合算残高の範囲内で景品を選択し、前記表示制御ステップが個別表示を行なっている状態で前記操作受付ステップが操作を受け付けた場合には、前記表示中の口座の残高の範囲内で景品を選択する景品選択ステップとを含んだことを特徴とする。
【発明の効果】
【００１８】
本発明によれば、遊技媒体数を管理する口座が複数存在する場合に、複数の口座の残高を同時に表示する一括表示を行なっている状態で景品選択にかかる操作を受け付けた場合には、複数の口座の残高を合算した合算残高の範囲内で景品を選択し、各口座の残高を個別に表示する個別表示を行なっている状態で景品選択にかかる操作を受け付けた場合には、表示中の口座の残高の範囲内で景品を選択するので、景品交換にかかる操作を効率化することができる。
【図面の簡単な説明】
【００１９】
【図１】図１は、実施例１に係る景品交換時の操作について説明するための説明図である。
【図２】図２は、遊技店のシステム構成を示す図である。
【図３】図３は、図２に示した景品管理装置の外観構成を示す図である。
【図４】図４は、図２に示した景品管理装置の内部構成を示すブロック図である。
【図５】図５は、持玉口座と貯玉口座の管理について説明するための説明図である。
【図６】図６は、景品管理装置による景品交換の処理手順を示すフローチャートである。
【図７】図７は、実施例２に係る景品交換時の操作について説明するための説明図である。
【図８】図８は、実施例２に係る景品管理装置の内部構成を示すブロック図である。
【図９】図９は、実施例２に係る景品管理装置による景品交換の処理手順を示すフローチャートである。
【発明を実施するための形態】
【００２０】
以下に、添付図面を参照して、本発明に係る景品管理装置、景品管理システム及び景品管理方法の好適な実施例を詳細に説明する。
【実施例１】
【００２１】
まず、本実施例１に係る景品交換時の操作について説明する。図１は、実施例１に係る景品交換時の操作について説明するための説明図である。景品交換時には、景品管理装置は、まず、複数のレートのうち景品交換に使用するレートを選択するためのレート選択画面を表示する。
【００２２】
図１（ａ）は、レート選択画面の具体例である。このレート選択画面では、「レートを選択」とのメッセージとともに、４円玉、２円玉及び１円玉の３つのレートが表示されている。４円玉は、１玉４円で貸し出された遊技玉を示す。同様に、２円玉は、１玉２円で貸し出された遊技玉を示し、１円玉は、１玉１円で貸し出された遊技玉を示す。ここでは、遊技玉のみを用いる場合を示したが、１枚２０円で貸し出される２０円メダルや、１枚５円で貸し出される５円メダルを用いる遊技店では、これらのメダルについても表示される。
【００２３】
また、図１（ａ）は、景品管理装置がカードＩＤを読み取り、該カードＩＤに関連付けられた口座の残高をレート毎に表示した状態を示している。具体的には、４円玉の持玉口座と貯玉口座の残高の合計が「８０００個」であり、２円玉の持玉口座と貯玉口座の残高の合計が「２０００個」であり、１円玉の持玉口座と貯玉口座の残高の合計が「１０００個」である。
【００２４】
このレート選択画面から、景品交換に使用するレートを選択すると、景品管理装置は、選択したレートの一括表示画面を表示制御する。図１（ｂ）は、４円玉を選択した場合の一括表示画面の具体例である。
【００２５】
図１（ｂ）に示した一括表示画面では、「交換又は詳細選択」とのメッセージと、４円玉の持玉口座及び貯玉口座の残高合計「８０００個」と、４円玉の持玉口座の残高「６０００個」と、４円玉の貯玉口座の残高「２０００個」とが表示されている。
【００２６】
この一括表示画面を表示した状態で、景品を選択する操作を受け付けると、景品管理装置は、持玉口座及び貯玉口座の残高合計を対象として景品交換を行なう。例えば、大景品及び小景品の組合せを自動算出する高速交換ボタンを押下操作したならば、図１（ｄ）に示すように、持玉口座及び貯玉口座の残高合計「８０００個」と交換可能な大景品６個及び小景品３個を選択し、残玉数を「２５個」とする。
【００２７】
一方、一括表示画面を表示した状態で、持玉の詳細表示を選択する操作を受け付けたならば、景品管理装置は、図１（ｃ）に示す個別表示画面を表示制御する。図１（ｃ）では、「交換する景品を選択」とのメッセージと、４円玉の持玉口座の残高「６０００個」が表示されている。
【００２８】
この持玉の個別表示画面を表示した状態で、景品を選択する操作を受け付けると、景品管理装置は、持玉口座の残高を対象として景品交換を行なう。例えば、大景品及び小景品の組合せを自動算出する高速交換ボタンを押下操作したならば、図１（ｅ）に示すように、持玉口座の残高合計「６０００個」と交換可能な大景品５個及び小景品２個を選択し、残玉数を「１０個」とする。また、貯玉については使用していないので、残貯玉数は「２０００個」となる。
【００２９】
なお、一括表示画面を表示した状態で、貯玉の詳細表示を選択する操作を受け付けたならば、図１（ｃ）と同様に、貯玉の個別表示画面が表示制御され、貯玉の個別表示画面を表示した状態で景品を選択する操作を受け付けると、景品管理装置は、貯玉口座の残高を対象として景品交換を行なう。
【００３０】
このように、本実施例１に係る景品交換では、持玉と貯玉の一括表示を行なっている状態で景品交換操作を受け付けたならば持玉と貯玉の残高合計を対象に景品交換処理し、持玉又は貯玉の個別表示を行なっている状態で景品交換操作を受け付けたならば持玉又は貯玉の残高を対象に景品交換処理を行なうよう構成したので、景品交換にかかる操作を効率化することができる。
【００３１】
次に、遊技店のシステム構成について説明する。図２は、遊技店のシステム構成を示す図である。図２に示すように、遊技店には、複数の遊技機２０と、各遊技機２０にそれぞれ対応して設けられた台間カード処理機１０が設置される。台間カード処理機１０は、島コントローラ３０を介して店内のネットワークである通信回線と接続する。通信回線には、島コントローラ３０と、カード管理装置４０と、会員管理装置５０と、景品管理装置６０と、精算機８０とが接続される。
【００３２】
遊技機２０は、遊技玉を遊技盤面に打ち込んで遊技を行う装置である。この遊技機２０の遊技盤面には、複数の入賞領域（入賞口）が設けられており、当該入賞領域を遊技玉が通過したことに基づいて所定個数の遊技玉を賞玉として付与するようになっている。また、遊技領域には、所定個数の始動領域（始動口）が設けられており、当該始動領域を遊技玉が通過したことに基づいて所定の抽選を行うこととなっている。当該抽選が大当りとなれば、所定の可動部材等の作動により、前述の入賞領域あるいは他の始動領域への遊技玉の通過確率を向上する等、遊技上有利となる作動が行われる。なお、始動領域と入賞領域を兼ねた領域があってもよい。
【００３３】
上記入賞領域には、当該入賞領域への遊技玉の通過を検出するために入賞センサが設けられており、入賞センサにより入賞領域へ打ち込まれた遊技玉の通過（入賞）を検知するようになっている。また、遊技機の制御装置は、入賞領域ごとに何個の遊技玉を賞玉として付与するかを記憶する賞玉メモリを有している。
【００３４】
したがって、打ち込んだ遊技玉の特定の入賞領域への通過が入賞センサにより検知されると、賞玉メモリの記憶内容と、入賞領域を通過した遊技玉数から付与すべき賞玉数を決定し、決定した賞玉数の遊技玉が払い出される。
【００３５】
台間カード処理機１０は、入金の受付、遊技玉の貸し出し並びにカード管理装置４０との通信を行う。台間カード処理機１０は、遊技客が投入した紙幣を受け付けたならば、入金額を含む入金通知をカード管理装置４０に送信することで、プリペイド価値をカード管理装置４０が管理するプリペイド価値に加算させる。そして、所定の玉貸し操作がなされたならば、玉貸要求をカード管理装置４０に送信し、カード管理装置４０が管理するプリペイド価値を減算させて、減算したプリペイド価値分に対応する数の遊技玉を払い出す。
【００３６】
また、台間カード処理機１０は、カードの挿入を受け付けたならば、カード管理装置４０にカード挿入通知を送信する。また、台間カード処理機１０は、カード管理装置４０からプリペイド価値、持玉口座又は貯玉口座の残高を受信した場合には、該残高を記憶する。そして、持玉口座の残高を受信し、記憶した場合には、カード管理装置４０に対して持玉減算要求を送信することで、カード管理装置４０が管理する持玉口座の残高をゼロにクリアする。
【００３７】
また、台間カード処理機１０は、持玉再プレイ操作を受け付けると、自装置が管理する持玉口座の残高を所定数減算し、減算した数に対応する数の遊技玉を払い出す。また、台間カード処理機１０は、貯玉再プレイ操作を受け付けると、カード管理装置４０に対して貯玉再プレイ要求を送信することで、会員管理装置５０が管理する貯玉口座の残高を所定数減算させ、減算した数に対応する数の遊技玉を払い出す。
【００３８】
台間カード処理機１０は、カード返却操作を受け付けたならば、自装置が管理する持玉口座の残高を含む持玉加算要求をカード管理装置４０に送信し、カード管理装置４０に持玉を加算させた後、カード排出通知をカード管理装置４０に送信し、カードを排出制御する。
【００３９】
島コントローラ３０は、遊技島に設けられた一群の遊技機２０及び台間カード処理機１０を束ねる中継装置である。カード管理装置４０は、カードのプリペイド価値及び持玉数等をカードデータとして管理する管理装置である。
【００４０】
カード管理装置４０は、台間カード処理機１０からカード挿入通知を受信したならば、挿入されたカードのＩＤと台間カード処理機１０とを関連づけて管理し、該カードＩＤに関連づけられたプリペイド価値及び持玉口座の残高を台間カード処理機１０に送信する。また、カード挿入通知に示されたカードＩＤが会員カードのカードＩＤである場合には、該カードＩＤに関連づけられた貯玉口座の残高を会員管理装置５０から取得し、プリペイド価値及び持玉口座の残高とともに台間カード処理機１０に送信する。
【００４１】
また、カード管理装置４０は、台間カード処理機１０から持玉減算要求を受信した場合には、持玉口座の残高をゼロにクリアし、台間カード処理機１０から持玉加算要求を受信した場合には、持玉加算要求に示された持玉数を持玉口座に加算する。
【００４２】
また、カード管理装置４０は、台間カード処理機１０から玉貸要求を受信した場合には、対応するプリペイド価値を所定値減算し、玉貸許可を台間カード処理機１０に送信する。そして、貯玉再プレイ要求を受信した場合には、該貯玉再プレイ要求を会員管理装置５０に送信し、会員管理装置５０が貯玉再プレイ許可を出力した場合には、貯玉再プレイ許可を台間カード処理機１０に送信する。
【００４３】
また、カード管理装置４０は、景品管理装置６０からカードＩＤを受信したならば、このカードＩＤに関連付けられた持玉口座の残高を景品管理装置６０に対して通知する。さらに、精算機８０からカードＩＤを受信したならば、このカードＩＤに関連付けられたプリペイド価値を精算機８０に対して通知する。
【００４４】
会員管理装置５０は、遊技店に会員登録された会員の会員管理データを管理する管理装置である。具体的には、会員に対して発行した会員カードＩＤに関連づけて、貯玉数、ポイント、暗証番号及び氏名等を管理する。
【００４５】
会員管理装置５０は、カード管理装置４０から貯玉口座残高の問い合わせを受けたならば、指定されたカードＩＤに対応する貯玉口座の残高をカード管理装置４０に通知する。また、会員管理装置５０は、カード管理装置４０を介して貯玉再プレイ要求を受信したならば、貯玉再プレイ要求に示されたカードＩＤに関連づけられた貯玉口座の残高を所定数減算し、貯玉再プレイ許可を出力する。
【００４６】
また、会員管理装置５０は、景品管理装置６０から貯玉口座残高の問い合わせを受けたならば、指定されたカードＩＤに対応する貯玉口座の残高を景品管理装置６０に通知する。
【００４７】
景品管理装置６０は、遊技店内の景品交換カウンタに併設された景品交換用の端末装置であり獲得玉、貯玉及び持玉の景品交換処理を行う。この景品管理装置６０には、カードのカードＩＤを読み取るリーダライタ及び景品を払い出す景品払出装置が接続されている。景品管理装置６０は、リーダライタがカードを受け付けた場合には、リーダライタで読み出したカードのカードＩＤをカード管理装置４０に送信して、該カードの持玉口座残高を要求する。また、貯玉を景品交換する場合は、会員管理装置５０に対して貯玉口座残高を要求する。
【００４８】
精算機８０は、プリペイド価値が対応付けられたカードが挿入されると、このカードのカードＩＤをカード管理装置４０に送信し、該カードに関連付けられたプリペイド価値を取得し、取得したプリペイド価値に相当する現金の払出を行う。
【００４９】
図２に示したシステムで玉貸しを行う場合の玉貸処理について説明する。遊技客が台間カード処理機１０に対して玉貸操作を行うと、台間カード処理機１０は、カード管理装置４０のローカルＩＰアドレスを宛先として指定した電文を送信する。この電文は、台間カード処理機１０に挿入されているカードのカードＩＤと、送信元である台間カード処理機１０を特定するＩＰアドレス若しくは任意の識別情報と、玉貸要求とを含む。
【００５０】
カード管理装置４０は、玉貸要求を含む電文を受信すると、該電文内のカードＩＤに関連付けられたプリペイド価値を所定値（例えば、１００円＝１度数の場合に５度数）減算してカード管理データを更新し、玉貸許可を送信元の台間カード処理機１０に送信する。玉貸許可を受信した台間カード処理機１０は、減算したプリペイド価値に対応する数（例えば１２５玉）の遊技玉を払い出す。
【００５１】
次に、図２に示したシステムで持玉の再プレイを行う場合の持玉再プレイ処理について説明する。台間カード処理機１０は、一般カードあるいは会員カードの挿入を受け付けた場合に、カード管理装置４０のローカルＩＰアドレスを宛先として指定した電文を送信する。この電文は、台間カード処理機１０に挿入されているカードのカードＩＤと、送信元である台間カード処理機１０を特定するＩＰアドレス若しくは任意の識別情報と、台間カード処理機１０のレートを特定するための情報と、カード挿入通知とを含む。
【００５２】
カード管理装置４０は、台間カード処理機１０からカード挿入通知を受信した場合には、該電文内のカードＩＤに関連付けられた持玉口座のうち、該電文により特定されたレートの持玉口座の残高を台間カード処理機１０に通知する。
【００５３】
台間カード処理機１０は、カード管理装置４０から受信した持玉の残高を記憶する。そして、カードＩＤ及びレートを特定する情報と、持玉減算要求とを含む電文をカード管理装置４０に送信する。カード管理装置４０は、持玉減算要求を受信した場合には、カードＩＤ及びレートにより特定される持玉口座の残高をゼロにクリアする。台間カード処理機１０は、持玉再プレイ操作を受け付けた場合には、記憶した持玉の残高を所定数減算し、対応する数の遊技玉を払い出す。
【００５４】
台間カード処理機１０は、カード返却操作を受け付けた場合には、カード管理装置４０に対して持玉加算要求を含む電文を送信する。この電文は、排出するカードのカードＩＤと、送信元である台間カード処理機１０を特定するＩＰアドレス若しくは任意の識別情報と、台間カード処理機１０のレートを特定するための情報と、持玉の残高と持玉加算要求とを含む。
【００５５】
カード管理装置４０は、持玉加算要求を受け付けた場合には、該電文内のカードＩＤに関連付けられた持玉口座のうち、該電文により特定されたレートの持玉口座の残高を受信した残高の値に更新する。
【００５６】
その後、台間カード処理機１０は、カード管理装置４０にカード排出通知を送信し、カードを排出制御する。
【００５７】
次に、図２に示したシステムで貯玉の再プレイを行う場合の貯玉再プレイ処理について説明する。台間カード処理機１０は、カードの挿入後、最初に貯玉再プレイ操作を受け付けた場合、若しくは会員カードとして使用可能な携帯端末からカードＩＤに対応する識別情報を読み取った場合に、カード管理装置４０のローカルＩＰアドレスを宛先として指定した電文を送信する。この電文は、台間カード処理機１０に挿入されているカードのカードＩＤ（若しくは携帯端末から読み取ったカードＩＤに対応する識別情報。以降、カードＩＤという）と、送信元である台間カード処理機１０を特定するＩＰアドレス若しくは任意の識別情報と、台間カード処理機１０のレートを特定するための情報と、貯玉再プレイ要求とを含む。また、貯玉再プレイに際して暗証番号の入力を要求する場合には、電文の送信前に暗証番号の入力を要求しておき、入力された暗証番号を電文に含める。
【００５８】
カード管理装置４０は、貯玉再プレイ要求の電文を、会員管理装置５０に送信する。会員管理装置５０は、貯玉再プレイ要求の電文を受信した場合には、該電文内のカードＩＤに関連付けられた貯玉口座のうち、該電文により特定されたレートの貯玉口座の残高を所定値減算し、減算後の残高とともに貯玉再プレイ許可を台間カード処理機１０に送信する。
【００５９】
台間カード処理機１０は、貯玉再プレイ許可を受信したならば、貯玉残高が該貯玉再プレイ許可とともに受信した減算後の残高に至るまで順次遊技玉を投出し、自装置が管理する貯玉残高の更新を行なう。
【００６０】
次に、閉店処理における持玉からの貯玉への移行について説明する。カード管理装置４０は、閉店処理時にカード管理データの持玉口座の残高を確認し、持玉の残高が「０」より大きい持玉口座が存在する場合には、該持玉口座の残高をカードＩＤ及びレートとともに会員管理装置５０に通知する。会員管理装置５０は、カードＩＤ及びレートにより特定される貯玉口座の残高に通知された持玉口座残高を加算して更新する。その後、カード管理装置４０は、該持玉口座の残高をゼロにクリアする。
【００６１】
次に、図２に示した景品管理装置６０の外観構成について説明する。図３は、図２に示した景品管理装置６０の外観構成を示す図である。同図（ａ）には正面上方（景品カウンタの店員側）から見た景品管理装置６０の斜視図を示し、同図（ｂ）には景品管理装置６０の背面図（景品カウンタの遊技客側）を示している。
【００６２】
図３（ａ）に示すように、景品管理装置６０の前面には、店側表示部６１、操作部６２、レシート発行部６３及びバーコードリーダ６７が設けられている。ここでは、説明の便宜上図示省略したが、電源スイッチやメモリカード差込口なども設けられる。また、景品管理装置６０には、リーダライタ７０が接続されている。
【００６３】
店員は、計数機等で発行された計数レシートを遊技客から受け取ったならば、バーコードリーダ６７で計数レシートに印字されたバーコードを読み取り、遊技客が獲得した獲得玉数を特定する。また、リーダライタ７０のカード挿入口７３にカードが挿入された場合には、該カードに対応付けられた持玉数及び貯玉数を特定する。このように特定した玉数は、特殊景品又は一般景品との景品交換に使用される。
【００６４】
店側表示部６１は、操作者である遊技店の店員用の表示部兼操作部であり、タッチパネルカラー液晶ディスプレイ等からなる。この店側表示部６１には、景品交換内容や操作ガイダンスなどが表示される。操作部６２は、テンキー、専用キー及びモードキー等の複数のキーからなり、景品交換操作入力などを行う際に使用される。
【００６５】
レシート発行部６３は、登録リスト、集計リスト等の各種レシートを発行処理する発行部であり、感熱式プリンタ等からなる。バーコードリーダ６７は、計数レシートに印刷されたバーコードを読み取って、情報内容を特定する。
【００６６】
図３（ｂ）に示すように、景品管理装置６０の背面には、遊技客用の客側表示部６４が設けられている。この客側表示部６４は、蛍光表示管やタッチパネルカラー液晶ディスプレイ等からなる。遊技客は、この客側表示部６４の表示内容を確認することにより、カードに対応付けられる持玉数や貯玉数を確認することができる。さらに、客側表示部６４は、上位の装置（例えば会員管理装置５０）からイベント情報などを設定データとして通知された場合には、該イベント情報を表示することができる。
【００６７】
また、この景品管理装置６０にはリーダライタ７０が接続されている。このリーダライタ７０には、表示操作部７１、かざし部７２、カード挿入口７３及び扉カギ７４が設けられている。表示操作部７１は、タッチパネルカラー液晶ディスプレイ等からなり、カードの読み取り状況等が表示される。なお、会員カードの場合には、この表示操作部７１を用いて暗証番号が入力される。かざし部７２は、非接触ＩＣカード又はＩＣチップ内蔵の携帯電話機との間で非接触のデータ送受信を行うためのかざし部である。カード挿入口７３は、会員カード及び一般カードを挿入する挿入口である。
【００６８】
次に、図２に示した景品管理装置６０の内部構成について説明する。図４は、図２に示した景品管理装置の内部構成を示すブロック図である。同図に示すように、この景品管理装置６０は、通信回線及びリーダライタ７０に接続されている。景品管理装置６０は、すでに説明した店側表示部６１、操作部６２、レシート発行部６３及び客側表示部６４と、記憶部６５と、制御部６６と、バーコードリーダ６７と、通信部６８とを有する。通信部６８は、景品管理装置６０が通信回線と通信するためのインタフェース部である。
【００６９】
記憶部６５は、フラッシュメモリ又はハードディスク装置等からなる記憶デバイスであり、景品マスタ６５ａ及びレシートデータ６５ｂを記憶する。景品マスタ６５ａは、遊技玉を景品に交換する際に使用するデータである。また、レシートデータ６５ｂは、バーコードリーダ６７によりレシートから読み取ったデータを示す。
【００７０】
制御部６６は、景品管理装置を全体制御する制御部であり、景品管理部６６ａ、景品交換処理部６６ｂ及び口座選択処理部６６ｃを有する。景品管理部６６ａは、記憶部６５に記憶した景品マスタ６５ａを用いて景品管理装置６０の取扱対象となる特殊景品、一般景品の交換玉数等を管理する管理部である。
【００７１】
景品交換処理部６６ｂは、景品交換処理を行う処理部である。景品との交換に使用される玉数は、バーコードリーダ６７によりレシートから読み取った獲得玉数、リーダライタ７０により読み取られたカードＩＤに対応付けられた持玉数及び貯玉数である。
【００７２】
景品交換処理部６６ｂは、獲得玉数、持玉数及び貯玉数の範囲内で、景品マスタ６５ａに基づいて特殊景品及び一般景品の景品交換処理を行う。特殊景品の交換処理を行う場合には、景品交換処理部６６ｂは、獲得玉数、持玉数及び貯玉数から交換可能な特殊景品の種類及び数の組み合わせを求め、該特殊景品の種類及び数を指定した払出指示を図示しない景品払出機に送信することで、特殊景品の払い出しを行わせる。
【００７３】
口座選択処理部６６ｃは、景品交換に使用する口座の選択を行なう処理部である。具体的には、口座選択処理部は、リーダライタ７０によりカードＩＤが読み取られた場合に、該カードＩＤをカード管理装置４０及び会員管理装置５０に送信し、各レートの持玉口座残高及び貯玉口座残高を取得して、店側表示部６１にレート選択画面を表示制御する。
【００７４】
口座選択処理部６６ｃは、レート選択画面を表示した後、レートが選択されたならば、選択されたレートについて、持玉口座と貯玉口座の一括表示画面を店側表示部６１に表示制御する。この一括表示画面の表示制御中は、持玉口座及び貯玉口座が景品交換に使用する口座として選択される。このため、一括表示画面の表示制御中に景品を選択する操作が行われたならば、持玉口座と貯玉口座の残高合計が景品交換に使用されることとなる。
【００７５】
口座選択処理部６６ｃは、一括表示画面の表示制御中に、持玉の詳細表示を選択する操作を受け付けたならば、持玉の個別表示画面を店側表示部６１に表示制御する。持玉の個別表示画面の表示制御中は、持玉口座が景品交換に使用する口座として選択される。このため、持玉の個別表示画面の表示制御中に景品を選択する操作が行われたならば、持玉口座の残高のみが景品交換に使用されることとなる。
【００７６】
同様に、口座選択処理部６６ｃは、一括表示画面の表示制御中に、貯玉の詳細表示を選択する操作を受け付けたならば、貯玉の個別表示画面を店側表示部６１に表示制御する。貯玉の個別表示画面の表示制御中は、貯玉口座が景品交換に使用する口座として選択される。このため、貯玉の個別表示画面の表示制御中に景品を選択する操作が行われたならば、貯玉口座の残高のみが景品交換に使用されることとなる。
【００７７】
次に、持玉口座と貯玉口座の管理について説明する。図５は、持玉口座と貯玉口座の管理について説明するための説明図である。図５（ａ）は、カード管理装置４０が記憶するカード管理データ４１を示し、図５（ｂ）は、会員管理装置５０が記憶する会員管理データ５１を示している。
【００７８】
カード管理データ４１は、カードＩＤにプリペイド価値と各レートの持玉口座を関連付けたデータである。具体的には、カードＩＤ「１００１」には、プリペイド価値「５０」、４円玉の持玉口座残高「３５００」、２円玉の持玉口座残高「０」及び１円玉の持玉口座残高「０」が関連付けられている。また、カードＩＤ「２００１」には、プリペイド価値「０」、４円玉の持玉口座残高「６０００」、２円玉の持玉口座残高「２０００」及び１円玉の持玉口座残高「５００」が関連付けられている。
【００７９】
会員管理データ５１は、カードＩＤに会員の氏名、各レートの貯玉口座、住所等を関連付けたデータである。具体的には、カードＩＤ「２００１」には、氏名「Ａ  Ｂ」、４円玉の貯玉口座残高「２０００」、２円玉の貯玉口座残高「０」及び１円玉の貯玉口座残高「５００」、住所「Ｃ市  Ｄ町１−１」等が関連付けられている。なお、図示は省略したが、会員の携帯端末の識別番号、連絡先、ポイント、来店回数、遊技履歴、暗証番号等をカードＩＤに関連付けてもよい。
【００８０】
次に、景品管理装置６０による景品交換の処理手順について説明する。図６は、景品管理装置６０による景品交換の処理手順を示すフローチャートである。景品管理装置６０の口座選択処理部６６ｃは、リーダライタ７０によりカードＩＤが読み取られた場合に、該カードＩＤをカード管理装置４０及び会員管理装置５０に送信し、各レートの持玉口座残高及び貯玉口座残高を取得して（ステップＳ１０１）、店側表示部６１にレート選択画面を表示制御する（ステップＳ１０２）。
【００８１】
口座選択処理部６６ｃは、レート選択画面を表示制御した後、レート選択操作を受け付けたか否かを判定する（ステップＳ１０３）。レート選択操作が行われていなければ（ステップＳ１０３；Ｎｏ）、口座選択処理部６６ｃは、ステップＳ１０２に移行し、レート選択画面の表示を継続する。
【００８２】
レート選択操作が行われたならば（ステップＳ１０３；Ｙｅｓ）、口座選択処理部６６ｃは、選択されたレートについて、持玉口座と貯玉口座の一括表示画面を店側表示部６１に表示制御する（ステップＳ１０４）。持玉口座と貯玉口座の一括表示画面には、持玉の口座詳細、貯玉の口座詳細、合算交換のそれぞれの選択肢が選択操作可能に表示される。この場合、選択されたレートを特定するための情報を一時記憶して保持する。
【００８３】
口座選択処理部６６ｃは、一括表示画面を表示した状態で、持玉又は貯玉の口座詳細が選択されたか否かを判定する（ステップＳ１０５）。そして、持玉又は貯玉の口座詳細が選択されなければ（ステップＳ１０５；Ｎｏ）、口座選択処理部６６ｃは、景品が選択されたか否かを判定する（ステップＳ１０６）。この景品の選択には、景品を個別に指定する選択と、高速交換ボタンの操作による特殊景品の組合せ選択を含む。
【００８４】
一括表示画面を表示した状態で、景品が選択されなければ（ステップＳ１０６；Ｎｏ）、口座選択処理部６６ｃは、ステップＳ１０４に移行し、一括表示画面の表示制御を継続する。
【００８５】
一括表示画面を表示した状態で、景品が選択されたならば（ステップＳ１０６；Ｙｅｓ）、景品交換処理部６６ｂは、持玉口座と貯玉口座の残高合計から、選択された景品の交換対象玉数を減算する（ステップＳ１０７）。その後、景品交換処理部６６ｂは、景品交換を終了するか否かを判定する（ステップＳ１０８）。景品交換の終了の判断は、所定の景品交換終了操作（確認操作等）を受け付けた場合等に基づいて行われる。
【００８６】
景品交換を終了する場合には（ステップＳ１０８；Ｙｅｓ）、景品交換処理部６６ｂは、それまでに選択された景品交換の内容を確定し（ステップＳ１１４）、処理を終了する。景品交換を終了しない場合には（ステップＳ１０８；Ｎｏ）、景品交換処理部６６ｂは、再び景品が選択されたか否かを判定する（ステップＳ１０９）。景品が選択されなければ（ステップＳ１０９；Ｎｏ）、景品交換処理部６６ｂは、ステップＳ１０８に移行し、景品が選択されたならば（ステップＳ１０９；Ｙｅｓ）、ステップＳ１０７に移行する。
【００８７】
一方、一括表示画面を表示した状態で、持玉又は貯玉の口座詳細が選択されたならば（ステップＳ１０５；Ｙｅｓ）、口座選択処理部６６ｃは、選択された口座（持玉口座又は貯玉口座）の個別表示画面を店側表示部６１に表示制御する（ステップＳ１１０）。
【００８８】
個別表示画面の表示制御の後、口座選択処理部６６ｃは、景品が選択されたか否かを判定する（ステップＳ１１１）。個別表示画面を表示した状態で、景品が選択されなければ（ステップＳ１１１；Ｎｏ）、口座選択処理部６６ｃは、ステップＳ１１０に移行し、個別表示画面の表示制御を継続する。
【００８９】
個別表示画面を表示した状態で、景品が選択されたならば（ステップＳ１１１；Ｙｅｓ）、景品交換処理部６６ｂは、選択された口座（持玉口座又は貯玉口座）の残高から、選択された景品の交換対象玉数を減算する（ステップＳ１１２）。その後、景品交換処理部６６ｂは、景品交換を終了するか否かを判定する（ステップＳ１１３）。
【００９０】
景品交換を終了しない場合には（ステップＳ１１３；Ｎｏ）、景品交換処理部６６ｂは、ステップＳ１１０に移行し、個別表示画面の表示制御を行なう。そして、景品交換を終了する場合には（ステップＳ１１３；Ｙｅｓ）、景品交換処理部６６ｂは、それまでに選択された景品交換の内容を確定し（ステップＳ１１４）、処理を終了する。
【００９１】
ここで、持玉からの景品交換と貯玉からの景品交換の詳細について説明する。持玉を景品交換の対象として選択する場合には、景品管理装置６０は、景品交換に使用するレートを特定（記憶）した状態でカード管理装置４０に問合せを行なって、持玉口座残高の引落としを行ない、特定する玉数の対象を持玉数に変更する。この引き落としにより、景品管理装置６０側に持玉口座の管理が移管され、カード管理装置４０側の持玉口座残高はゼロにクリアされる。
【００９２】
景品管理装置６０は、景品交換の内容確定まで持玉口座の残高を保持し、交換内容が確定するとカード管理装置４０に持玉口座の残高を通知する。この通知を受信したカード管理装置４０は、一旦ゼロにした残高を通知された残高で置換する。
【００９３】
一方、貯玉を景品交換の対象として選択する場合には、景品管理装置６０は、景品交換に使用するレートを特定（記憶）した状態で、特定している玉数の対象を貯玉数に変更する。景品管理装置６０は、会員管理装置５０から取得した貯玉値を一時記憶し、景品交換の内容が確定すると減算（又は加算）による差分値を会員管理装置５０に送信する。会員管理装置５０は、景品管理装置６０から送られた差分値により貯玉の値を更新する。
【００９４】
なお、一括表示画面を表示した状態で、持玉と貯玉とを合算して景品交換に使用する場合には、合算交換の選択肢が選択操作されるか、若しくは一括表示画面を表示した状態で景品が選択（高速交換による一括選択を含む）されると、合算交換が選択されたと判断し、持玉口座残高の引き落としが行なわれた後、上述したように持玉及び貯玉の処理が行なわれる。景品選択による減算処理は、貯玉を優先的に使用するよう演算され、持玉と貯玉の合算値を交換に供した後に残りの値がある場合は、確定処理によりこれを持玉残高として確定する。
【００９５】
なお、ここでは持玉口座については景品管理装置６０に管理を移管し、貯玉口座については景品交換中にあっても会員管理装置５０で管理を行なう構成について説明を行なったが、貯玉口座についても持玉口座と同様に、景品管理装置６０に管理を移管して、景品交換の内容確定時に会員管理装置５０の貯玉口座残高を上書き処理するよう構成してもよい。また、持玉口座について貯玉口座と同様に、景品管理装置６０に管理を移管せず、景品交換中にあってもカード管理装置４０が持玉口座を管理するよう構成してもよい。
【００９６】
また、景品管理装置６０は、上位装置（例えば会員管理装置５０）からの指示によって、持玉、当日貯玉、過去貯玉の種別によって再び遊技に使用できるか否か（再遊技可否設定が景品交換使用可否と連動する）を設定し、記憶するよう構成してもよい。
【００９７】
この再遊技可否を設定可能な構成において、特定の種別の媒体が景品交換できない設定とした場合、景品管理装置６０は、景品交換できない媒体種別の残高以外の残高を上位装置に要求する。また、景品交換使用可否の設定によって交換可能な媒体種別が１つに限定される場合には、選択操作なくこの媒体種別の交換処理に移行すればよい。
【００９８】
上述してきたように、本実施例１では、持玉と貯玉の一括表示を行なっている状態で景品交換操作を受け付けたならば持玉と貯玉の残高合計を対象に景品交換処理し、持玉又は貯玉の個別表示を行なっている状態で景品交換操作を受け付けたならば持玉又は貯玉の残高を対象に景品交換処理を行なうよう構成したので、景品交換にかかる操作を効率化することができる。
【００９９】
なお、本実施例１では、レート選択の次に持玉と貯玉の一括表示を行い、一括表示状態から速やかに貯玉と持玉の合算値を対象とした景品交換を行えるように構成しているが、これは、貯玉口座と持玉口座が共に存在する場合には、これらの合算値で景品交換を望む客が多く、かかるニーズに迅速に対応するためである。
【実施例２】
【０１００】
上記実施例１では、レート選択画面を表示して、レートの選択を受け付けた場合に一括表示画面を表示制御する構成について説明したが、複数のレートのうち、持玉や貯玉に残高の残っているレートが１つのみである場合には、レートの選択を自動的に行なうように構成することで、景品交換にかかる操作をさらに効率化することができる。
【０１０１】
そこで、本実施例２では、レートの選択を自動的に行なうことのできる景品交換処理について説明する。図７は、実施例２に係る景品交換時の操作について説明するための説明図である。
【０１０２】
図７（ａ）に示すように、４円玉の持玉口座と貯玉口座の残高の合計が「８０００個」であり、２円玉の持玉口座と貯玉口座の残高の合計が「０個」であり、１円玉の持玉口座と貯玉口座の残高の合計が「０個」である場合には、景品交換に使用可能なレートは４円玉に限られる。
【０１０３】
そこで、実施例２の景品管理装置は、４円玉のレートを自動的に選択し、レート選択画面の表示を省略して、図７（ｂ）に示す一括表示画面を表示制御する。以降の処理については、実施例１と同様である。
【０１０４】
図８は、実施例２にかかる景品管理装置１６０の内部構成を示すブロック図である。図８に示す景品管理装置１６０は、制御部６６にレート選択処理部６６ｄをさらに備える点が実施例１に示した景品管理装置６０と異なる。その他の構成及び動作については景品管理装置６０と同様であるので、同一の構成要素には同一の符号を付して説明を省略する。
【０１０５】
レート選択処理部６６ｄは、レートの自動選択を行なう処理部である。具体的には、リーダライタ７０によりカードＩＤが読み取られ、該カードＩＤに関連付けられた各レートの持玉口座残高及び貯玉口座残高が取得された場合に、レート選択処理部６６ｄは、持玉口座残高と貯玉口座残高の合算残高をレート毎に算定する。そして、合算残高が０より大きいレートが２以上有る場合には、レート選択画面を表示制御する。一方、合算残高が０より大きいレートが１つのみである場合には、該レートを自動的に選択し、レート選択画面の表示制御をスキップして、自動選択したレートの一括表示画面を表示制御する。
【０１０６】
次に、景品管理装置１６０による景品交換の処理手順について説明する。図９は、実施例２に係る景品管理装置１６０による景品交換の処理手順を示すフローチャートである。景品管理装置１６０の口座選択処理部６６ｃは、リーダライタ７０によりカードＩＤが読み取られた場合に、該カードＩＤをカード管理装置４０及び会員管理装置５０に送信し、各レートの持玉口座残高及び貯玉口座残高を取得する（ステップＳ２０１）。
【０１０７】
レート選択処理部６６ｄは、持玉口座残高と貯玉口座残高の合算残高をレート毎に算定し（ステップＳ２０２）、合算残高が０より大きいレートが１つであるか否かを判定する（ステップＳ２０３）。
【０１０８】
その結果、合算残高が０より大きいレートが１つである場合には（ステップＳ２０３；Ｙｅｓ）、該レートを選択する（ステップＳ２０６）。以降の処理は、図６に示したステップＳ１０４以降と同様である。
【０１０９】
合算残高が０より大きいレートが１つでない場合には（ステップＳ２０３；Ｎｏ）、レート選択処理部６６ｄは、店側表示部６１にレート選択画面を表示制御する（ステップＳ２０４）。
【０１１０】
レート選択画面を表示制御した後、口座選択処理部６６ｃは、レート選択操作を受け付けたか否かを判定する（ステップＳ２０５）。レート選択操作が行われていなければ（ステップＳ２０５；Ｎｏ）、口座選択処理部６６ｃは、ステップＳ２０４に移行し、レート選択画面の表示を継続する。
【０１１１】
レート選択操作が行われたならば（ステップＳ２０５；Ｙｅｓ）、口座選択処理部６６ｃは、選択されたレートについて、持玉口座と貯玉口座の一括表示画面を店側表示部６１に表示制御する。以降の処理は、図６に示したステップＳ１０４以降と同様である。
【０１１２】
上述してきたように、本実施例２では、持玉口座及び貯玉口座の残高に基づいて、レートの選択についても自動的に行なうことができるので、景品交換にかかる操作をさらに効率化することができる。
【０１１３】
なお、本実施例２では、持玉口座及び貯玉口座の合算残高が０以上であることを条件にレートの自動選択を行なうか否かを判定していたが、持玉口座及び貯玉口座の合算残高が景品交換に要する最小値を超えることを条件に判定を行ってもよい。
【０１１４】
また、上述の実施例１及び２では、カードの形態についての詳細な説明を省略したが、かかるカードには、磁気カード、ＩＣカード等が含まれる。また、ここでは説明の便宜上「カード」を例にとって説明したが、かかるカード以外に、チップ、スティック、携帯端末等を用いる場合に本発明を適用することもできる。特に、ＩＣチップ付携帯端末を媒体として用いる場合は、リーダライタに当該携帯端末を翳すことにより、ＩＣチップとリーダライタとの非接触通信により当該携帯端末と関連付けられたプリペイド価値及び持玉数を取得することができる。
【０１１５】
また、図示した各構成は機能概略的なものであり、必ずしも物理的に図示の構成を有することを要しない。すなわち、各装置の分散・統合の形態は図示のものに限られず、その全部または一部を各種の負荷や使用状況などに応じて、任意の単位で機能的または物理的に分散・統合して構成することができる。
【産業上の利用可能性】
【０１１６】
以上のように、本発明に係る景品管理装置、景品管理システム及び景品管理方法は、遊技店の景品交換にかかる操作を効率化することに適している。
【符号の説明】
【０１１７】
１０  台間カード処理機
２０  遊技機
３０  島コントローラ
４０  カード管理装置
４１  カード管理データ
５０  会員管理装置
５１  会員管理データ
６０、１６０  景品管理装置
６１  店側表示部
６２  操作部
６３  レシート発行部
６４  客側表示部
６５  記憶部
６５ａ  景品マスタ
６５ｂ  レシートデータ  
６６ａ  景品管理部
６６ｂ  景品交換処理部
６６ｃ  口座選択処理部
６６ｄ  レート選択処理部
６７  バーコードリーダ
６８、１２３  通信部
７０  リーダライタ
７１  表示操作部
７２  かざし部
７３  カード挿入口
７４  扉カギ
８０  精算機
【図１】
2014023581.tif 000003
【図２】
2014023581.tif 000004
【図３】
2014023581.tif 000005
【図４】
2014023581.tif 000006
【図５】
2014023581.tif 000007
【図６】
2014023581.tif 000008
【図７】
2014023581.tif 000009
【図８】
2014023581.tif 000010
【図９】
2014023581.tif 000011